(57)【要約】【課題】装置全体をコンパクトにしつつ、キーステムが突き当て部に突き当てられる場合よりも効果的に、ターミナルが電気的に接続せしめられたことを操作者に認識させる。【解決手段】キーステム３がスライドせしめられるとターミナル２Ｇとターミナル２ａ，２ｂ，２ｃ，２ｄとが電気的に接続せしめられるスライドスイッチに、変位量を増加させていくと応力が増加し、変位量を更に増加させていくと応力が急激に減少する特性を有するクリックバネ６ａ，６ｂ，６ｃ，６ｄを設け、ターミナル２Ｇとターミナル２ａ，２ｂ，２ｃ，２ｄとが電気的に接続せしめられる時にキーステム３の操作に要する力が急激に減少するようにクリックバネ６ａ，６ｂ，６ｃ，６ｄを配置した。【選択図】図６
2005346998.tif 000002
【特許請求の範囲】
【請求項１】
キーステムがスライドせしめられると電子回路が電気的に接続せしめられるスライドスイッチにおいて、変位量を増加させていくと応力が増加し、変位量を更に増加させていくと応力が急激に減少する特性を有するクリックバネを設け、前記電子回路が電気的に接続せしめられる時に前記キーステムをスライドさせるのに要する力が急激に減少するように前記クリックバネを配置したことを特徴とするスライドスイッチ。
【請求項２】
前記キーステムがスライドせしめられるのに連動して前記クリックバネが押動され、それにより、前記クリックバネの背面に延在するターミナルと、前記クリックバネに予め導通せしめられているターミナルとが、前記クリックバネを介して電気的に接続せしめられることを特徴とする請求項１に記載のスライドスイッチ。
【請求項３】
前記キーステムのスライド動作を、その動作方向とは異なる方向に変換して伝えるためのカムを設けたことを特徴とする請求項１又は２に記載のスライドスイッチ。
【請求項４】
前記キーステムがスライドせしめられると前記クリックバネが前記カムによって押動されるように前記クリックバネをスライドスイッチハウジングの底面上に水平に配置したことを特徴とする請求項３に記載のスライドスイッチ。
【請求項５】
前記スライドスイッチハウジングの底面にターミナルを配置したことを特徴とする請求項４に記載のスライドスイッチ。
【請求項６】
第１の方向への前記キーステムのスライド動作を、その動作方向とは異なる方向に変換して伝えるための第１カムと、第２の方向への前記キーステムのスライド動作を、その動作方向とは異なる方向に変換して伝えるための第２カムとを、カムユニットとして一体的に形成したことを特徴とする請求項３〜５のいずれか一項に記載のスライドスイッチ。
【請求項７】
非円形のクリックバネを前記スライドスイッチハウジングの底面上に水平に配置したことを特徴とする請求項４又は５に記載のスライドスイッチ。
【請求項８】
キーステムがスライドせしめられるのに連動してバネが押動され、それにより、前記バネの背面に延在するターミナルと、前記バネに予め導通せしめられているターミナルとが、前記バネを介して電気的に接続せしめられるスライドスイッチに用いられるスライドスイッチ用カムユニットにおいて、第１の方向への前記キーステムのスライド動作を、その動作方向とは異なる方向に変換して伝えるための第１カムと、第２の方向への前記キーステムのスライド動作を、その動作方向とは異なる方向に変換して伝えるための第２カムとを設け、前記第１カムと前記第２カムとを一体的に形成したことを特徴とするスライドスイッチ用カムユニット。
【請求項９】
第３の方向への前記キーステムのスライド動作を、その動作方向とは異なる方向に変換して伝えるための第３カムと、第４の方向への前記キーステムのスライド動作を、その動作方向とは異なる方向に変換して伝えるための第４カムとを設け、前記第１カムと前記第２カムと前記第３カムと前記第４カムとを略四角形状の枠部材により連結し、前記第１カムと前記第２カムと前記第３カムと前記第４カムと前記枠部材とを一体的に形成したことを特徴とする請求項８に記載のスライドスイッチ用カムユニット。
【請求項１０】
キーステムがスライドせしめられるのに連動してバネが押動され、それにより、前記バネの背面に延在するターミナルと、前記バネに予め導通せしめられているターミナルとが、前記バネを介して電気的に接続せしめられるスライドスイッチに用いられるスライドスイッチ用キーステムにおいて、グリップ部と、前記グリップ部から四方に延びている脚部とを設けたことを特徴とするスライドスイッチ用キーステム。
【請求項１１】
前記キーステムをスライドさせる操作力が除かれると前記脚部の復元力により前記キーステムがスライドせしめられる前の状態に戻るように前記脚部を可撓性材料により形成したことを特徴とする請求項１０に記載のスライドスイッチ用キーステム。
【請求項１２】
請求項１に記載のスライドスイッチを具備し、前記キーステムのスライド方向に対して垂直な向きに前記キーステムを押動可能なプッシュスライドスイッチにおいて、変位量を増加させていくと応力が増加し、変位量を更に増加させていくと応力が急激に減少する特性を有する他のクリックバネを設け、電子回路が電気的に接続せしめられる時に前記キーステムを押動するのに要する力が急激に減少するように前記他のクリックバネを配置し、前記キーステムを押動するのに要する力の最大値が、前記キーステムをスライドさせるのに要する力の最大値よりも大きくなるように、前記クリックバネおよび前記他のクリックバネを設定したことを特徴とするプッシュスライドスイッチ。
【発明の詳細な説明】
【技術分野】
【０００１】
本発明は、キーステムがスライドせしめられると電子回路が電気的に接続せしめられるスライドスイッチおよびプッシュスライドスイッチに関し、特には、装置全体をコンパクトにしつつ、キーステムが突き当て部に突き当てられる場合よりも効果的に、ターミナルが電気的に接続せしめられたことを操作者に認識させることができるスライドスイッチおよびプッシュスライドスイッチに関する。
【０００２】
更に、本発明は、キーステムがスライドせしめられるのに連動してバネが押動され、それにより、バネの背面に延在するターミナルと、バネに予め導通せしめられているターミナルとが、バネを介して電気的に接続せしめられるスライドスイッチに用いられるスライドスイッチ用カムユニットに関し、特には、複数のカムが別個に形成される場合よりも構成部品総数を低減することができ、それにより、組み付けを容易にすることができるスライドスイッチ用カムユニットに関する。
【０００３】
また、本発明は、キーステムがスライドせしめられるのに連動してバネが押動され、それにより、バネの背面に延在するターミナルと、バネに予め導通せしめられているターミナルとが、バネを介して電気的に接続せしめられるスライドスイッチに用いられるスライドスイッチ用キーステムに関し、特には、スライドせしめられたキーステムをスライドせしめられる前の状態に戻すためのバネを設ける必要性を排除することができるスライドスイッチ用キーステムに関する。
【背景技術】
【０００４】
従来から、操作部材（キーステム）がスライドせしめられると接点（ターミナル）が電気的に接続せしめられる他方向入力装置が知られている。この種の多方向入力装置の例としては、例えば特開２００３−３１０７５号公報に記載されたものがある。
【０００５】
特開２００３−３１０７５号公報に記載された多方向入力装置では、操作部材（キーステム）がスライドせしめられるとコイルバネが弾性変形せしめられ、操作者が操作部材（キーステム）を放すとコイルバネの復帰力によって操作部材（キーステム）が中央部（ホームポジション）に復帰するように構成されている。つまり、特開２００３−３１０７５号公報に記載された多方向入力装置では、操作部材（キーステム）がスライドせしめられると操作部材（キーステム）の操作に要する力が徐々に増加し、接点（ターミナル）が電気的に接続せしめられる時に操作部材（キーステム）の操作に要する力は大きく変化しない。そのため、操作者は、操作部材（キーステム）の操作に要する力の変化によって接点（ターミナル）が電気的に接続せしめられたことを認識することができない。
【０００６】
更に、特開２００３−３１０７５号公報に記載された多方向入力装置では、上述したコイルバネが比較的長い自然長を有しており、また、上述したコイルバネが複数設けられているため、多方向入力装置全体が大型化してしまう。
【０００７】
また、従来から、被操作部材としてのキートップ（キーステム）がスライドせしめられると端子（ターミナル）が電気的に接続せしめられるスライド操作式スイッチが知られている。この種のスライド操作式スイッチの例としては、例えば特開２００３−３１０７６号公報に記載されたものがある。
【０００８】
特開２００３−３１０７６号公報に記載されたスライド操作式スイッチでは、キートップ（キーステム）がスライドせしめられるとゴムの付勢部材が弾性変形せしめられ、操作者がキートップ（キーステム）を放すと付勢部材の復帰力によってキートップ（キーステム）が中立位置（ホームポジション）に復帰するように構成されている。つまり、特開２００３−３１０７６号公報に記載されたスライド操作式スイッチでは、キートップ（キーステム）がスライドせしめられるとキートップ（キーステム）の操作に要する力が徐々に増加し、端子（ターミナル）が電気的に接続せしめられる時にキートップ（キーステム）の操作に要する力は大きく変化しない。そのため、操作者は、キートップ（キーステム）の操作に要する力の変化によって端子（ターミナル）が電気的に接続せしめられたことを認識することができない。
【０００９】
そこで、従来においては、ターミナルが電気的に接続せしめられたことを操作者が認識できるようにするために、ターミナルが電気的に接続せしめられた時に、例えばキーステムが直接または間接的に突き当て部に突き当てられていた。つまり、従来においては、キーステムが直接または間接的に突き当て部に突き当てられる以外の方法によっては、ターミナルが電気的に接続せしめられたことを操作者に認識させることができなかった。
【００１０】
【特許文献１】特開２００３−３１０７５号公報
【００１１】
【特許文献１】特開２００３−３１０７６号公報
【発明の開示】
【発明が解決しようとする課題】
【００１２】
前記問題点に鑑み、本発明は、装置全体をコンパクトにしつつ、キーステムが突き当て部に突き当てられる場合よりも効果的に、ターミナルが電気的に接続せしめられたことを操作者に認識させることができるスライドスイッチおよびプッシュスライドスイッチを提供することを目的とする。
【００１３】
更に、本発明は、複数のカムが別個に形成される場合よりも構成部品総数を低減することができ、それにより、組み付けを容易にすることができるスライドスイッチ用カムユニットを提供することを目的とする。
【００１４】
また、本発明は、スライドせしめられたキーステムをスライドせしめられる前の状態に戻すためのバネを設ける必要性を排除することができるスライドスイッチ用キーステムを提供することを目的とする。
【課題を解決するための手段】
【００１５】
請求項１に記載の発明によれば、キーステムがスライドせしめられると電子回路が電気的に接続せしめられるスライドスイッチにおいて、変位量を増加させていくと応力が増加し、変位量を更に増加させていくと応力が急激に減少する特性を有するクリックバネを設け、前記電子回路が電気的に接続せしめられる時に前記キーステムをスライドさせるのに要する力が急激に減少するように前記クリックバネを配置したことを特徴とするスライドスイッチが提供される。
【００１６】
請求項２に記載の発明によれば、前記キーステムがスライドせしめられるのに連動して前記クリックバネが押動され、それにより、前記クリックバネの背面に延在するターミナルと、前記クリックバネに予め導通せしめられているターミナルとが、前記クリックバネを介して電気的に接続せしめられることを特徴とする請求項１に記載のスライドスイッチが提供される。
【００１７】
請求項３に記載の発明によれば、前記キーステムのスライド動作を、その動作方向とは異なる方向に変換して伝えるためのカムを設けたことを特徴とする請求項１又は２に記載のスライドスイッチが提供される。
【００１８】
請求項４に記載の発明によれば、前記キーステムがスライドせしめられると前記クリックバネが前記カムによって押動されるように前記クリックバネをスライドスイッチハウジングの底面上に水平に配置したことを特徴とする請求項３に記載のスライドスイッチが提供される。
【００１９】
請求項５に記載の発明によれば、前記スライドスイッチハウジングの底面にターミナルを配置したことを特徴とする請求項４に記載のスライドスイッチが提供される。
【００２０】
請求項６に記載の発明によれば、第１の方向への前記キーステムのスライド動作を、その動作方向とは異なる方向に変換して伝えるための第１カムと、第２の方向への前記キーステムのスライド動作を、その動作方向とは異なる方向に変換して伝えるための第２カムとを、カムユニットとして一体的に形成したことを特徴とする請求項３〜５のいずれか一項に記載のスライドスイッチが提供される。
【００２１】
請求項７に記載の発明によれば、非円形のクリックバネを前記スライドスイッチハウジングの底面上に水平に配置したことを特徴とする請求項４又は５に記載のスライドスイッチが提供される。
【００２２】
請求項８に記載の発明によれば、キーステムがスライドせしめられるのに連動してバネが押動され、それにより、前記バネの背面に延在するターミナルと、前記バネに予め導通せしめられているターミナルとが、前記バネを介して電気的に接続せしめられるスライドスイッチに用いられるスライドスイッチ用カムユニットにおいて、第１の方向への前記キーステムのスライド動作を、その動作方向とは異なる方向に変換して伝えるための第１カムと、第２の方向への前記キーステムのスライド動作を、その動作方向とは異なる方向に変換して伝えるための第２カムとを設け、前記第１カムと前記第２カムとを一体的に形成したことを特徴とするスライドスイッチ用カムユニットが提供される。
【００２３】
請求項９に記載の発明によれば、第３の方向への前記キーステムのスライド動作を、その動作方向とは異なる方向に変換して伝えるための第３カムと、第４の方向への前記キーステムのスライド動作を、その動作方向とは異なる方向に変換して伝えるための第４カムとを設け、前記第１カムと前記第２カムと前記第３カムと前記第４カムとを略四角形状の枠部材により連結し、前記第１カムと前記第２カムと前記第３カムと前記第４カムと前記枠部材とを一体的に形成したことを特徴とする請求項８に記載のスライドスイッチ用カムユニットが提供される。
【００２４】
請求項１０に記載の発明によれば、キーステムがスライドせしめられるのに連動してバネが押動され、それにより、前記バネの背面に延在するターミナルと、前記バネに予め導通せしめられているターミナルとが、前記バネを介して電気的に接続せしめられるスライドスイッチに用いられるスライドスイッチ用キーステムにおいて、グリップ部と、前記グリップ部から四方に延びている脚部とを設けたことを特徴とするスライドスイッチ用キーステムが提供される。
【００２５】
請求項１１に記載の発明によれば、前記キーステムをスライドさせる操作力が除かれると前記脚部の復元力により前記キーステムがスライドせしめられる前の状態に戻るように前記脚部を可撓性材料により形成したことを特徴とする請求項１０に記載のスライドスイッチ用キーステムが提供される。
【００２６】
請求項１２に記載の発明によれば、請求項１に記載のスライドスイッチを具備し、前記キーステムのスライド方向に対して垂直な向きに前記キーステムを押動可能なプッシュスライドスイッチにおいて、変位量を増加させていくと応力が増加し、変位量を更に増加させていくと応力が急激に減少する特性を有する他のクリックバネを設け、電子回路が電気的に接続せしめられる時に前記キーステムを押動するのに要する力が急激に減少するように前記他のクリックバネを配置し、前記キーステムを押動するのに要する力の最大値が、前記キーステムをスライドさせるのに要する力の最大値よりも大きくなるように、前記クリックバネおよび前記他のクリックバネを設定したことを特徴とするプッシュスライドスイッチが提供される。
【発明の効果】
【００２７】
請求項１及び２に記載のスライドスイッチでは、変位量を増加させていくと応力が増加し、変位量を更に増加させていくと応力が急激に減少する特性を有するクリックバネが設けられ、例えば電子回路の一部を構成するターミナルが電気的に接続せしめられる時にキーステムをスライドさせるのに要する力が急激に減少するようにクリックバネが配置されている。そのため、キーステムをスライドさせるのに要する力が急激に減少することにより、ターミナルが電気的に接続せしめられたことを操作者は認識することができる。更に、キーステムをホームポジションに戻すためにコイルバネが用いられる場合よりも装置全体をコンパクトにすることができる。つまり、装置全体をコンパクトにしつつ、キーステムが突き当て部に突き当てられる場合よりも効果的に、ターミナルが電気的に接続せしめられたことを操作者に認識させることができる。
【００２８】
好ましくは、例えば板バネ材を絞り加工することにより、クリックバネが形成される。詳細には、絞り加工された凸部を凹ませていくと応力が増加し、更に凹ませていくと応力が急激に減少する特性をクリックバネが有する。
【００２９】
更に好ましくは、キーステムがスライドせしめられると、それに連動してクリックバネが押動され、それにより、クリックバネの背面に延在するターミナルと、クリックバネに予め導通せしめられているターミナルとが、クリックバネを介して電気的に接続せしめられるように、クリックバネが配置されている。
【００３０】
請求項３に記載のスライドスイッチでは、キーステムのスライド動作をその動作方向とは異なる方向に変換して伝えるためのカムが設けられている。そのため、キーステムのスライド動作をその動作方向とは異なる方向に変換して伝えることができる。つまり、キーステムのスライド動作方向の延長線上以外の位置にクリックバネを配置することができる。また、そのカムの形状、位置などを適宜設定することにより、キーステムをスライドさせるのに要する力、キーステムのスライドストロークなどを適宜設定することができる。
【００３１】
キーステムのスライドストロークを大きくするためにカムユニット全体に対するカムの捩れ量を大きくしようとすると、カムユニット全体が大型化してしまう点に鑑み、好ましくは、キーステムのスライドストロークが０．５ｍｍ以下に設定されている。そのため、カムユニットを小さくすることができ、それにより、装置全体をコンパクトにすることができる。
【００３２】
請求項４に記載のスライドスイッチでは、キーステムがスライドせしめられるとクリックバネがカムによって押動されるようにクリックバネがスライドスイッチハウジングの底面上に水平に配置されている。そのため、クリックバネがスライドスイッチハウジングの壁面に沿って垂直に配置される場合よりも、スライドスイッチの高さ寸法、つまり、スライドスイッチの厚さを小さくすることができる。
【００３３】
例えばスライドスイッチハウジングが成形によって形成され、その抜き方向がスライドスイッチハウジングの底面に対して垂直である場合には、スライドスイッチハウジングの底面に対して垂直に立ち上がっている壁面にターミナルをインサート成形しようとすると、ターミナルをインサート成形するための型の構造が複雑になってしまい、型のコストが嵩んでしまう。この点に鑑み、請求項５に記載のスライドスイッチでは、スライドスイッチハウジングの底面にターミナルが配置されている。好ましくは、スライドスイッチハウジングの底面にターミナルがインサート成形される。そのため、スライドスイッチハウジングの底面に対して垂直に立ち上がっている壁面にターミナルがインサート成形される場合よりも、スライドスイッチハウジング成形用型の構造を簡略化することができる。その結果、スライドスイッチハウジングの成形コストを抑えることができる。詳細には、スライドスイッチハウジング成形用型にスライド構造を設ける必要なく、ターミナルをインサート成形することができる。
【００３４】
請求項６に記載のスライドスイッチでは、第１の方向へのキーステムのスライド動作を、その動作方向とは異なる方向に変換して伝えるための第１カムと、第２の方向へのキーステムのスライド動作を、その動作方向とは異なる方向に変換して伝えるための第２カムとが、カムユニットとして一体的に形成されている。そのため、第１カムと第２カムとが別個に形成される場合よりも部品数を低減することができ、それにより、それらのカムの組み付けを容易にすることができる。
【００３５】
好ましくは、左側へのキーステムのスライド動作を下側に変換して伝えるための第１カムと、手前側へのキーステムのスライド動作を下側に変換して伝えるための第２カムと、右側へのキーステムのスライド動作を下側に変換して伝えるための第３カムと、奥側へのキーステムのスライド動作を下側に変換して伝えるための第４カムとが、カムユニットとして一体的に形成されている。そのため、第１カムと第２カムと第３カムと第４カムとが別個に形成される場合よりも部品数を低減することができ、それにより、それらのカムの組み付けを容易にすることができる。
【００３６】
詳細には、例えばキーステムが左側にスライドせしめられると、カムユニットの一部を構成する第１カムが、カムユニット全体に対して捩れることにより回動せしめられる。次いで、キーステムを左側にスライドさせた操作力が除かれると、カムユニット全体に対して捩れていた第１カムが、カムユニットの復元力により元の状態に戻される。つまり、回動せしめられていた第１カムが、カムユニットの復元力により、逆側に回動せしめられ、元の位置に戻される。そのため、回動せしめられたカムを逆側に回動させて元の位置に戻すためのバネを設ける必要性を排除することができる。
【００３７】
請求項７に記載のスライドスイッチでは、非円形のクリックバネがスライドスイッチハウジングの底面上に水平に配置されている。詳細には、円形のクリックバネがスライドスイッチハウジングの底面上に水平に配置される場合よりもスライドスイッチの幅寸法が小さくなるような向きに向けられて非円形のクリックバネが配置されている。そのため、円形のクリックバネがスライドスイッチハウジングの底面上に水平に配置される場合よりもスライドスイッチの幅寸法を小さくすることができる。また、円形のクリックバネが用いられる場合よりもクリックバネの絞り深さを深くすることができ、それにより、クリックバネの絞り深さが浅い場合よりも明確にターミナルが電気的に接続せしめられたことを操作者に認識させることができる。
【００３８】
請求項８に記載のスライドスイッチ用カムユニットでは、第１の方向へのキーステムのスライド動作を、その動作方向とは異なる方向に変換して伝えるための第１カムと、第２の方向へのキーステムのスライド動作を、その動作方向とは異なる方向に変換して伝えるための第２カムとが設けられ、第１カムと第２カムとが一体的に形成されている。そのため、第１カムと第２カムとが別個に形成される場合よりもカムユニットの構成部品総数を低減することができ、それにより、カムユニットの組み付けを容易にすることができる。
【００３９】
請求項９に記載のスライドスイッチ用カムユニットでは、第１カムと第２カムと第３カムと第４カムとが略四角形状の枠部材により連結され、第１カムと第２カムと第３カムと第４カムと枠部材とが一体的に形成されている。詳細には、例えば第１の方向へのキーステムのスライド動作が第１カムを介してバネに伝えられる場合には、キーステムによって第１カムが押動されて略四角形状の枠部材が撓み、それにより、キーステムのスライド動作が第１カムを介してバネに伝えられる。そのため、複数のカムを有するカムユニットの構造を簡単にしつつ、カムユニットの形状を応力集中の起こりづらい形状にすることができ、それにより、カムユニットの寿命を増長することができる。
【００４０】
請求項１０及び１１に記載のスライドスイッチ用キーステムでは、グリップ部と、グリップ部から四方に延びている脚部とが設けられている。詳細には、キーステムをスライドさせる操作力が除かれると脚部の復元力によりキーステムがスライドせしめられる前の状態に戻るように脚部が可撓性材料により形成されている。そのため、スライドせしめられたキーステムをスライドせしめられる前の状態に戻すためのバネを設ける必要性を排除することができる。
【００４１】
請求項１２に記載のプッシュスライドスイッチでは、変位量を増加させていくと応力が増加し、変位量を更に増加させていくと応力が急激に減少する特性を有する他のクリックバネが設けられ、例えば電子回路の一部を構成するターミナルが電気的に接続せしめられる時にキーステムを押動するのに要する力が急激に減少するように他のクリックバネが配置されている。更に、キーステムを押動するのに要する力の最大値が、キーステムをスライドさせるのに要する力の最大値よりも大きくなるように、クリックバネおよび他のクリックバネが設定されている。そのため、キーステムをスライドさせる時に、誤ってキーステムが押動されてターミナルが電気的に接続されてしまうのを低減することができる。好ましくは、キーステムがスライドせしめられてターミナルが電気的に接続せしめられたことを操作者に認識させるためのクリックバネの弾性係数よりも、キーステムが押動せしめられてターミナルが電気的に接続せしめられたことを操作者に認識させるための他のクリックバネの弾性係数が大きい値に設定されている。
【発明を実施するための最良の形態】
【００４２】
図１は本発明のプッシュスライドスイッチの第１の実施形態の外観を示した図である。詳細には、図１（Ａ）は第１の実施形態のプッシュスライドスイッチの平面図、図１（Ｂ）は第１の実施形態のプッシュスライドスイッチの正面図、図１（Ｃ）は第１の実施形態のプッシュスライドスイッチの右側面図、図１（Ｄ）は第１の実施形態のプッシュスライドスイッチの裏面図である。
【００４３】
図１において、１はプッシュスライドスイッチのハウジングである。このハウジング１は、例えば樹脂材料を成形することにより形成されている。５はハウジング１の内部を覆うためのカバーである。このカバー５は、例えば金属材料により形成されている。３は、プッシュスライドスイッチの操作者が図１（Ａ）の左右方向および上下方向にスライド可能であって、図１（Ｂ）の下向きに押動可能に構成されたキーステムである。このキーステム３は例えば樹脂材料により形成されている。２ａ，２ｂ，２ｃ，２ｄ，２ｅ１，２ｅ２，２Ｇは導電性材料により形成されたターミナル（端子）である。これらのターミナル２ａ，２ｂ，２ｃ，２ｄ，２ｅ１，２ｅ２，２Ｇは、ハウジング１の底面に配置され、例えばインサート成形によりハウジング１に対して固定されている。
【００４４】
図２および図３は図１に示したハウジング１およびターミナル２ａ，２ｂ，２ｃ，２ｄ，２ｅ１，２ｅ２，２Ｇの拡大部品図である。詳細には、図２（Ａ）はハウジング１およびターミナル２ａ，２ｂ，２ｃ，２ｄ，２ｅ１，２ｅ２，２Ｇの平面図、図２（Ｂ）はハウジング１およびターミナル２ａ，２ｂ，２ｃ，２ｄ，２ｅ１，２ｅ２，２Ｇの正面図、図２（Ｃ）はハウジング１およびターミナル２ａ，２ｂ，２ｃ，２ｄ，２ｅ１，２ｅ２，２Ｇの右側面図、図２（Ｄ）はハウジング１およびターミナル２ａ，２ｂ，２ｃ，２ｄ，２ｅ１，２ｅ２，２Ｇの裏面図、図３（Ａ）は図２（Ａ）のＡ−Ａ線に沿って切断した断面図、図３（Ｂ）は図２（Ａ）のＢ−Ｂ線に沿って切断した断面図、図３（Ｃ）は図２（Ａ）のＣ部詳細図、図３（Ｄ）は図２（Ａ）のＤ部詳細図、図３（Ｅ）は図２（Ａ）のＥ部詳細図である。
【００４５】
図２および図３において、１ａ，１ｂ，１ｃ，１ｄ，１ｐは後述するクリックバネを配置するためのクリックバネ収容部である。１ｅ，１ｆ，１ｇ，１ｈは後述するキーステム３の脚部を支持するための支持部である。１ｉは後述するカムユニットの回転中心部を収容するためのカム回転中心収容部である。
【００４６】
図４は図１に示したキーステム３の拡大部品図である。詳細には、図４（Ａ）はキーステム３の平面図、図４（Ｂ）は図４（Ａ）のＡ−Ａ線に沿って切断した断面図、図４（Ｃ）はキーステム３の裏面図、図４（Ｄ）は図４（Ａ）のＢ−Ｂ線に沿って切断した断面図、図４（Ｅ）は図４（Ｂ）の一部（３ｃなど）を拡大して示した図である。図４において、３ａ，３ｂ，３ｃ，３ｄは後述するカムユニットのカム部を押動するためのカム押動部である。３ｐは後述する凸状のクリックバネを凹ませるため、つまり、クリックバネを弾性変形させるための突起部である。３ｅ，３ｆ，３ｇ，３ｈはハウジング１の支持部１ｅ，１ｆ，１ｇ，１ｈにより支持されるキーステム３の脚部である。３ｍはプッシュスライドスイッチの操作者がキーステム３を直接または間接的に操作するためのグリップ部である。
【００４７】
図５はカムユニットの拡大部品図である。詳細には、図５（Ａ）はカムユニットの平面図、図５（Ｂ）はカムユニットの右側面図、図５（Ｃ）はカムユニットの裏面図、図５（Ｄ）は図５（Ａ）のＡ−Ａ線に沿って切断した断面図である。図５において、４は後述する凸状のクリックバネを凹ませるため、つまり、クリックバネを弾性変形させるためのカムユニットである。４ａは図４に示したキーステム３のカム押動部３ａにより回動せしめられるカム部、４ｅはカム部４ａの回転中心となる回転中心部、４ｉはキーステム３のカム押動部３ａにより押動される被押動部、４ｍは後述する凸状のクリックバネを凹ませるため、つまり、クリックバネを弾性変形させるための突起部である。４ｂは図４に示したキーステム３のカム押動部３ｂにより回動せしめられるカム部、４ｆはカム部４ｂの回転中心となる回転中心部、４ｊはキーステム３のカム押動部３ｂにより押動される被押動部、４ｎは後述する凸状のクリックバネを凹ませるため、つまり、クリックバネを弾性変形させるための突起部である。
【００４８】
４ｃは図４に示したキーステム３のカム押動部３ｃにより回動せしめられるカム部、４ｇはカム部４ｃの回転中心となる回転中心部、４ｋはキーステム３のカム押動部３ｃにより押動される被押動部、４ｏは後述する凸状のクリックバネを凹ませるため、つまり、クリックバネを弾性変形させるための突起部である。４ｄは図４に示したキーステム３のカム押動部３ｄにより回動せしめられるカム部、４ｈはカム部４ｄの回転中心となる回転中心部、４ｌはキーステム３のカム押動部３ｄにより押動される被押動部、４ｐは後述する凸状のクリックバネを凹ませるため、つまり、クリックバネを弾性変形させるための突起部である。
【００４９】
これらのカム部４ａ，４ｂ，４ｃ，４ｄおよび回転中心部４ｅ，４ｆ，４ｇ，４ｈはカムユニット４として一体的に形成されている。
【００５０】
図６は第１の実施形態のプッシュスライドスイッチのすべての部品を重ねて示した図である。詳細には、図６（Ａ）は第１の実施形態のプッシュスライドスイッチの平面図、図６（Ｂ）は図６（Ａ）のＭ−Ｍ線に沿って切断した断面図、図６（Ｃ）は図６（Ａ）のＮ−Ｎ線に沿って切断した断面図である。図６において、６ａ，６ｂ，６ｃ，６ｄ，７は例えば導電性の板バネ材を絞り加工することによりドーム状（凸状）に形成されたクリックバネである。これらのクリックバネ６ａ，６ｂ，６ｃ，６ｄ，７は、変位量（弾性変形量、凹み量）を増加させていくと応力が増加し、変位量（弾性変形量、凹み量）を更に増加させていくと応力が急激に減少する特性を有する。つまり、これらのクリックバネ６ａ，６ｂ，６ｃ，６ｄ，７は、凸部を凹ませていくと、凹ませるのに要する力が増加し、凹ませる量を更に増加させていくと、凹ませるのに要する力が急激に減少する特性を有する。すなわち、クリックバネ６ａ，６ｂ，６ｃ，６ｄ，７を凹ませるのに要する力が急激に減少する時に、プッシュスライドスイッチの操作者がクリック感を得ることができるように、これらのクリックバネ６ａ，６ｂ，６ｃ，６ｄ，７は構成されている。これらのクリックバネ６ａ，６ｂ，６ｃ，６ｄ，７は、上側に凸状になるようにハウジング１の底面上に水平に配置されている。図６（Ａ）に示すように、クリックバネ６ａ，６ｂ，６ｃ，６ｄは非円形に形成され、クリックバネ７は円形に形成されている。
【００５１】
図２（Ａ）、図３（Ｄ）、図６（Ａ）および図６（Ｂ）に示すように、クリックバネ収容部１ａに収容された凸状のクリックバネ６ａは、その外周部においてターミナル２ａと電気的に接続せしめられている。また、クリックバネ６ａは、凹ませるのに要する力が急激に減少するまで図６（Ｂ）の下向きに凹まされると、クリックバネ６ａの背面に配置されたターミナル２Ｇとも電気的に接続せしめられる。つまり、ターミナル２ａと、ターミナル２Ｇとが、クリックバネ６ａを介して電気的に接続せしめられる。更に、クリックバネ収容部１ｂに収容された凸状のクリックバネ６ｂは、その外周部においてターミナル２ｂと電気的に接続せしめられている。また、クリックバネ６ｂは、凹ませるのに要する力が急激に減少するまで図６（Ａ）の紙面の裏面向きに凹まされると、クリックバネ６ｂの背面に配置されたターミナル２Ｇとも電気的に接続せしめられる。つまり、ターミナル２ｂと、ターミナル２Ｇとが、クリックバネ６ｂを介して電気的に接続せしめられる。
【００５２】
また、クリックバネ収容部１ｃに収容された凸状のクリックバネ６ｃは、その外周部においてターミナル２ｃと電気的に接続せしめられている。また、クリックバネ６ｃは、凹ませるのに要する力が急激に減少するまで図６（Ｂ）の下向きに凹まされると、クリックバネ６ｃの背面に配置されたターミナル２Ｇとも電気的に接続せしめられる。つまり、ターミナル２ｃと、ターミナル２Ｇとが、クリックバネ６ｃを介して電気的に接続せしめられる。更に、クリックバネ収容部１ｄに収容された凸状のクリックバネ６ｄは、その外周部においてターミナル２ｄと電気的に接続せしめられている。また、クリックバネ６ｄは、凹ませるのに要する力が急激に減少するまで図６（Ａ）の紙面の裏面向きに凹まされると、クリックバネ６ｄの背面に配置されたターミナル２Ｇとも電気的に接続せしめられる。つまり、ターミナル２ｄと、ターミナル２Ｇとが、クリックバネ６ｄを介して電気的に接続せしめられる。
【００５３】
また、図２（Ａ）、図３（Ｃ）、図６（Ａ）、図６（Ｂ）および図６（Ｃ）に示すように、クリックバネ収容部１ｑに収容された凸状のクリックバネ７は、その外周部においてターミナル２ｅ１，２ｅ２と電気的に接続せしめられている。つまり、ターミナル２ｅ１と、ターミナル２ｅ２とは、クリックバネ７を介して電気的に接続せしめられている。また、クリックバネ７は、凹ませるのに要する力が急激に減少するまで図６（Ｂ）および図６（Ｃ）の下向きに凹まされると、クリックバネ７の背面に配置されたターミナル２Ｇとも電気的に接続せしめられる。つまり、ターミナル２ｅ１と、ターミナル２Ｇと、ターミナル２ｅ２とが、クリックバネ７を介して電気的に接続せしめられる。
【００５４】
つまり、プッシュスライドスイッチの操作者によってキーステム３が操作されず、キーステム３がホームポジションに配置された状態においては、ターミナル２Ｇは、他のターミナル２ａ，２ｂ，２ｃ，２ｄ，２ｅ１，２ｅ２のいずれとも電気的に接続せしめられていない。
【００５５】
プッシュスライドスイッチの操作者によってキーステム３が図１（Ａ）、図６（Ａ）および図６（Ｂ）の左側、つまり、矢印Ａ方向にスライドせしめられると、図６（Ｂ）に示すように、キーステム３のカム押動部３ａ（図４参照）によってカム部４ａの被押動部４ｉ（図５参照）が押動せしめられ、それにより、カム部４ａが回転中心部４ｅ（図５参照）を中心として回動せしめられる。その結果、カム部４ａの突起部４ｍ（図５参照）によって凸状のクリックバネ６ａが凹まされる。詳細には、キーステム３がスライドせしめられるのに伴ってクリックバネ６ａの凹み量が増加していくと、キーステム３のスライド操作に要する力が増加する。次いで、キーステム３が更にスライドし続けられるのに伴ってクリックバネ６ａの凹み量が更に増加していくと、キーステム３のスライド操作に要する力が急激に減少する。この時、クリックバネ６ａは、クリックバネ６ａの背面に配置されたターミナル２Ｇと電気的に接続せしめられ、それにより、ターミナル２ａと、ターミナル２Ｇとが、クリックバネ６ａを介して電気的に接続せしめられる。
【００５６】
次いで、キーステム３を図１（Ａ）、図６（Ａ）および図６（Ｂ）の左側、つまり、矢印Ａ方向にスライドさせた操作力が除かれると、凹まされていたクリックバネ６ａが、クリックバネ６ａの復元力により元の凸状の状態に戻される。また、カムユニット４全体に対して捩れていたカム部４ａが、クリックバネ６ａの復元力およびカムユニット４の復元力により、元の状態に戻される。それにより、キーステム３がホームポジションに戻される。
【００５７】
矢印Ａ方向のキーステム３のスライドストロークは例えば０．５ｍｍ以下に設定されている。
【００５８】
また、プッシュスライドスイッチの操作者によってキーステム３が図１（Ａ）および図６（Ａ）の下側、つまり、矢印Ｂ方向にスライドせしめられると、すなわち、キーステム３が図６（Ｂ）の手前側にスライドせしめられると、キーステム３のカム押動部３ｂ（図４参照）によってカム部４ｂの被押動部４ｊ（図５参照）が押動せしめられ、それにより、カム部４ｂが回転中心部４ｆ（図５参照）を中心として回動せしめられる。その結果、カム部４ｂの突起部４ｎ（図５参照）によって凸状のクリックバネ６ｂが凹まされる。詳細には、キーステム３がスライドせしめられるのに伴ってクリックバネ６ｂの凹み量が増加していくと、キーステム３のスライド操作に要する力が増加する。次いで、キーステム３が更にスライドし続けられるのに伴ってクリックバネ６ｂの凹み量が更に増加していくと、キーステム３のスライド操作に要する力が急激に減少する。この時、クリックバネ６ｂは、クリックバネ６ｂの背面に配置されたターミナル２Ｇと電気的に接続せしめられ、それにより、ターミナル２ｂと、ターミナル２Ｇとが、クリックバネ６ｂを介して電気的に接続せしめられる。
【００５９】
次いで、キーステム３を図１（Ａ）および図６（Ａ）の下側、つまり、矢印Ｂ方向にスライドさせた操作力が除かれると、凹まされていたクリックバネ６ｂが、クリックバネ６ｂの復元力により元の凸状の状態に戻される。また、カムユニット４全体に対して捩れていたカム部４ｂが、クリックバネ６ｂの復元力およびカムユニット４の復元力により、元の状態に戻される。それにより、キーステム３がホームポジションに戻される。
【００６０】
矢印Ｂ方向のキーステム３のスライドストロークは例えば０．５ｍｍ以下に設定されている。
【００６１】
また、プッシュスライドスイッチの操作者によってキーステム３が図１（Ａ）、図６（Ａ）および図６（Ｂ）の右側、つまり、矢印Ｃ方向にスライドせしめられると、キーステム３のカム押動部３ｃ（図４参照）によってカム部４ｃの被押動部４ｋ（図５参照）が押動せしめられ、それにより、カム部４ｄが回転中心部４ｇ（図５参照）を中心として回動せしめられる。その結果、カム部４ｃの突起部４ｏ（図５参照）によって凸状のクリックバネ６ｃが凹まされる。詳細には、キーステム３がスライドせしめられるのに伴ってクリックバネ６ｃの凹み量が増加していくと、キーステム３のスライド操作に要する力が増加する。次いで、キーステム３が更にスライドし続けられるのに伴ってクリックバネ６ｃの凹み量が更に増加していくと、キーステム３のスライド操作に要する力が急激に減少する。この時、クリックバネ６ｃは、クリックバネ６ｃの背面に配置されたターミナル２Ｇと電気的に接続せしめられ、それにより、ターミナル２ｃと、ターミナル２Ｇとが、クリックバネ６ｃを介して電気的に接続せしめられる。
【００６２】
次いで、キーステム３を図１（Ａ）、図６（Ａ）および図６（Ｂ）の右側、つまり、矢印Ｃ方向にスライドさせた操作力が除かれると、凹まされていたクリックバネ６ｃが、クリックバネ６ｃの復元力により元の凸状の状態に戻される。また、カムユニット４全体に対して捩れていたカム部４ｃが、クリックバネ６ｃの復元力およびカムユニット４の復元力により、元の状態に戻される。それにより、キーステム３がホームポジションに戻される。
【００６３】
矢印Ｃ方向のキーステム３のスライドストロークは例えば０．５ｍｍ以下に設定されている。
【００６４】
また、プッシュスライドスイッチの操作者によってキーステム３が図１（Ａ）および図６（Ａ）の上側、つまり、矢印Ｄ方向にスライドせしめられると、すなわち、キーステム３が図６（Ｂ）の奥側にスライドせしめられると、キーステム３のカム押動部３ｄ（図４参照）によってカム部４ｄの被押動部４ｌ（図５参照）が押動せしめられ、それにより、カム部４ｄが回転中心部４ｈ（図５参照）を中心として回動せしめられる。その結果、カム部４ｄの突起部４ｐ（図５参照）によって凸状のクリックバネ６ｄが凹まされる。詳細には、キーステム３がスライドせしめられるのに伴ってクリックバネ６ｄの凹み量が増加していくと、キーステム３のスライド操作に要する力が増加する。次いで、キーステム３が更にスライドし続けられるのに伴ってクリックバネ６ｄの凹み量が更に増加していくと、キーステム３のスライド操作に要する力が急激に減少する。この時、クリックバネ６ｄは、クリックバネ６ｄの背面に配置されたターミナル２Ｇと電気的に接続せしめられ、それにより、ターミナル２ｄと、ターミナル２Ｇとが、クリックバネ６ｂを介して電気的に接続せしめられる。
【００６５】
次いで、キーステム３を図１（Ａ）および図６（Ａ）の上側、つまり、矢印Ｄ方向にスライドさせた操作力が除かれると、凹まされていたクリックバネ６ｄが、クリックバネ６ｄの復元力により元の凸状の状態に戻される。また、カムユニット４全体に対して捩れていたカム部４ｄが、クリックバネ６ｄの復元力およびカムユニット４の復元力により、元の状態に戻される。それにより、キーステム３がホームポジションに戻される。
【００６６】
矢印Ｄ方向のキーステム３のスライドストロークは例えば０．５ｍｍ以下に設定されている。
【００６７】
プッシュスライドスイッチの操作者によってキーステム３が図１（Ｂ）、図６（Ｂ）および図６（Ｃ）の下側、つまり、矢印Ｐ方向に押動せしめられると、キーステム３の突起部３ｐ（図４参照）によって凸状のクリックバネ７が凹まされる。詳細には、キーステム３が押動せしめられるのに伴ってクリックバネ７の凹み量が増加していくと、キーステム３の押動操作に要する力が増加する。次いで、キーステム３が更に押動し続けられるのに伴ってクリックバネ７の凹み量が更に増加していくと、キーステム３の押動操作に要する力が急激に減少する。この時、クリックバネ７は、クリックバネ７の背面に配置されたターミナル２Ｇと電気的に接続せしめられ、それにより、ターミナル２ｅ１と、ターミナル２ｅ２と、ターミナル２Ｇとが、クリックバネ７を介して電気的に接続せしめられる。
【００６８】
次いで、キーステム３を図１（Ｂ）、図６（Ｂ）および図６（Ｃ）の下側、つまり、矢印Ｐ方向に押動した操作力が除かれると、凹まされていたクリックバネ７が、クリックバネ７の復元力により元の凸状の状態に戻される。それにより、キーステム３がホームポジションに戻される。
【００６９】
第１の実施形態のプッシュスライドスイッチでは、図６に示したように、変位量（弾性変形量、凹み量）を増加させていくと応力が増加し、変位量（弾性変形量、凹み量）を更に増加させていくと応力が急激に減少する特性を有する凸状のクリックバネ６ａ，６ｂ，６ｃ，６ｄ，７が設けられ、例えば電子回路（図示せず）の一部を構成するターミナル２Ｇとターミナル２ａ，２ｂ，２ｃ，２ｄ，２ｅ１，２ｅ２とが電気的に接続せしめられる時にキーステム３のスライド操作あるいは押動操作に要する力が急激に減少するようにクリックバネ６ａ，６ｂ，６ｃ，６ｄ，７が配置されている。そのため、キーステム３のスライド操作あるいは押動操作に要する力が急激に減少することにより、ターミナル２Ｇとターミナル２ａ，２ｂ，２ｃ，２ｄ，２ｅ１，２ｅ２とが電気的に接続せしめられたことを操作者は認識することができる。更に、例えば特開２００３−３１０７５号公報に記載された多方向入力装置のようにキーステム（操作部材）をホームポジション（中央部）に戻すためにコイルバネが用いられる場合よりも、装置全体をコンパクトにすることができる。つまり、装置全体をコンパクトにしつつ、キーステムが突き当て部に突き当てられる従来の場合よりも効果的に、ターミナル２Ｇとターミナル２ａ，２ｂ，２ｃ，２ｄ，２ｅ１，２ｅ２とが電気的に接続せしめられたことを操作者に認識させることができる。
【００７０】
更に、第１の実施形態のプッシュスライドスイッチでは、図５に示したように、キーステム３のスライド動作をその動作方向とは異なる方向に変換して伝えるためのカム部４ａ，４ｂ，４ｃ，４ｄが設けられている。そのため、キーステム３のスライド動作をその動作方向とは異なる方向に変換して伝えることができる。詳細には、例えば図６（Ｂ）に示したように、カム部４ａは、左側へのキーステム３のスライド動作をその動作方向とは異なる方向の下側に変換して伝えることができる。その結果、左側へのキーステム３のスライド動作方向の延長線上以外の位置にクリックバネ６ａを配置することができる。また、そのカム部４ａ，４ｂ，４ｃ，４ｄの形状、位置などを適宜設定することにより、キーステム３をスライドさせるのに要する力、キーステム３のスライドストロークなどを適宜設定することができる。
【００７１】
また、第１の実施形態のプッシュスライドスイッチでは、図６に示したように、キーステム３がスライドせしめられるとクリックバネ４ａ，４ｂ，４ｃ，４ｄがカム部４ａ，４ｂ，４ｃ，４ｄによって押動されるようにクリックバネ４ａ，４ｂ，４ｃ，４ｄがハウジング１の底面上に水平に配置されている。そのため、クリックバネがハウジングの壁面に沿って垂直に配置される場合よりも、プッシュスライドスイッチの高さ寸法、つまり、プッシュスライドスイッチの厚さを小さくすることができる。
【００７２】
更に、第１の実施形態のプッシュスライドスイッチでは、図２および図３に示したように、ハウジング１の底面にターミナル２ａ，２ｂ，２ｃ，２ｄ，２ｅ１，２ｅ２，２Ｇが配置されている。好ましくは、ハウジング５の底面にターミナル２ａ，２ｂ，２ｃ，２ｄ，２ｅ１，２ｅ２，２Ｇがインサート成形される。そのため、ハウジングの底面に対して垂直に立ち上がっている壁面にターミナルがインサート成形される場合よりも、ハウジング成形用型の構造を簡略化することができる。その結果、ハウジング１の成形コストを抑えることができる。詳細には、ハウジング成形用型にスライド構造を設ける必要なく、ターミナル２ａ，２ｂ，２ｃ，２ｄ，２ｅ１，２ｅ２，２Ｇをインサート成形することができる。
【００７３】
また、第１の実施形態のプッシュスライドスイッチでは、例えば図６に示したように、左側（図６（Ｂ））へのキーステム３のスライド動作を下側（図６（Ｂ））に変換して伝えるためのカム部４ａと、手前側（図６（Ｂ））へのキーステム３のスライド動作を下側（図６（Ｂ））に変換して伝えるためのカム部４ｂ（図５参照）と、右側（図６（Ｂ））へのキーステムのスライド動作を下側（図６（Ｂ））に変換して伝えるためのカム部４ｃ（図５参照）と、奥側（図６（Ｂ））へのキーステムのスライド動作を下側（図６（Ｂ））に変換して伝えるためのカム部４ｄ（図５参照）とが、カムユニット４（図５参照）として一体的に形成されている。そのため、カム部４ａとカム部４ｂとカム部４ｃとカム部４ｄとが別個に形成される場合よりも部品数を低減することができ、それにより、それらのカム部４ａ，４ｂ，４ｃ，４ｄの組み付けを容易にすることができる。
【００７４】
更に、第１の実施形態のプッシュスライドスイッチでは、図６に示したように、非円形のクリックバネ６ａ，６ｂ，６ｃ，６ｄがハウジング１の底面上に水平に配置されている。詳細には、円形のクリックバネがハウジング１の底面上に水平に配置される場合よりもプッシュスライドスイッチの幅寸法が小さくなるような向きに向けられて非円形のクリックバネ６ａ，６ｂ，６ｃ，６ｄが配置されている。そのため、非円形のクリックバネ６ａ，６ｂ，６ｃ，６ｄの代わりに円形のクリックバネがハウジング１の底面上に水平に配置される場合よりもプッシュスライドスイッチの幅寸法を小さくすることができる。また、非円形のクリックバネ６ａ，６ｂ，６ｃ，６ｄの代わりに円形のクリックバネが用いられる場合よりもクリックバネ６ａ，６ｂ，６ｃ，６ｄの絞り深さを深くすることができ、それにより、クリックバネ６ａ，６ｂ，６ｃ，６ｄの代わりに絞り深さの浅いクリックバネが用いられる場合よりも明確にターミナル２ａ，２ｂ，２ｃ，２ｄ，２ｅ１，２ｅ２，２Ｇが電気的に接続せしめられたことを操作者に認識させることができる。
【００７５】
また、第１の実施形態のプッシュスライドスイッチに用いられるカムユニット４では、図５に示したように、カム部４ａの回転中心部４ｅと、カム部４ｂの回転中心部４ｆと、カム部４ｃの回転中心部４ｇと、カム部４ｄの回転中心部４ｈとによってカムユニット４の枠部分が略四角形状に構成されている。更に、その枠部分とカム部ａとカム部ｂとカム部ｃとカム部ｄとが一体的に形成されている。詳細には、上述したように、例えば左側（図６（Ｂ））へのキーステム３のスライド動作がカム部４ａを介してクリックバネ６ａに伝えられる場合には、キーステム３によってカム部４ａが押動されて略四角形状の枠部分が撓み、それにより、キーステム３のスライド動作がカム部４ａを介してクリックバネ６ａに伝えられる。そのため、複数のカム部４ａ，４ｂ，４ｃ，４ｄを有するカムユニット４の構造を簡単にしつつ、カムユニット４の形状を応力集中の起こりづらい形状にすることができ、それにより、カムユニット４の寿命を増長することができる。
【００７６】
更に、第１の実施形態のプッシュスライドスイッチに用いられるキーステム３では、図４に示したように、グリップ部３ｍと、グリップ部３ｍから四方に延びている脚部３ｅ，３ｆ，３ｇ，３ｈとが設けられている。詳細には、例えば図６（Ｂ）に示したようにキーステム３をスライドさせ、次いで、キーステム３をスライドさせる操作力が除かれると、脚部３ｅ，３ｆ，３ｇ，３ｈの復元力により、キーステム３がスライドせしめられる前の状態に戻るように、脚部３ｅ，３ｆ，３ｇ，３ｈが可撓性の樹脂材料により形成されている。そのため、スライドせしめられたキーステム３をスライドせしめられる前の状態に戻すためのバネを設ける必要性を排除することができる。
【００７７】
また、第１の実施形態のプッシュスライドスイッチでは、キーステム３を下側（図６（Ｂ））に押動するのに要する力の最大値が、キーステム３を左側、手前側、右側、または、奥側（図６（Ｂ））にスライドさせるのに要する力の最大値よりも大きくなるように、クリックバネ６ａ，６ｂ，６ｃ，６ｄおよびクリックバネ７が設定されている。詳細には、キーステム３がスライドせしめられてターミナルが電気的に接続せしめられたことを操作者に認識させるためのクリックバネ６ａ，６ｂ，６ｃ，６ｄの弾性係数よりも、キーステム３が押動せしめられてターミナルが電気的に接続せしめられたことを操作者に認識させるためのクリックバネ７の弾性係数が大きい値に設定されている。更に詳細には、キーステム３を押動するのに要する力の最大値が、キーステム３をスライドさせるのに要する力の最大値の約３倍に設定されている。そのため、キーステム３をスライドさせる時に、誤ってキーステム３が押動されてターミナルが電気的に接続されてしまうのを低減することができる。
【００７８】
上述した第１の実施形態では、キーステムが４方向にスライド可能であって、かつ、押動可能に構成されているが、第２の実施形態では、キーステムが少なくとも１方向にスライドできるように本発明のスライドスイッチを構成可能である。
【図面の簡単な説明】
【００７９】
【図１】本発明のプッシュスライドスイッチの第１の実施形態の外観を示した図である。
【図２】図１に示したハウジング１およびターミナル２ａ，２ｂ，２ｃ，２ｄ，２ｅ１，２ｅ２，２Ｇの拡大部品図である。
【図３】図１に示したハウジング１およびターミナル２ａ，２ｂ，２ｃ，２ｄ，２ｅ１，２ｅ２，２Ｇの拡大部品図である。
【図４】図１に示したキーステム３の拡大部品図である。
【図５】カムユニットの拡大部品図である。
【図６】第１の実施形態のプッシュスライドスイッチのすべての部品を重ねて示した図である。
【符号の説明】
【００８０】
１                            ハウジング
１ａ，１ｂ，１ｃ，１ｄ，１ｐ  クリックバネ収容部
１ｅ，１ｆ，１ｇ，１ｈ        支持部
１ｉ                          カム回転中心収容部
２ａ，２ｂ，２ｃ，２ｄ        ターミナル（端子）
２ｅ１，２ｅ２，２Ｇ            ターミナル（端子）
３                            キーステム
３ａ，３ｂ，３ｃ，３ｄ        カム押動部
３ｐ                          突起部
３ｅ，３ｆ，３ｇ，３ｈ        脚部
３ｍ                          グリップ部
４                            カムユニット
４ａ，４ｂ，４ｃ，４ｄ        カム部
４ｅ，４ｆ，４ｇ，４ｈ        回転中心部
４ｉ，４ｊ，４ｋ，４ｌ        被押動部
４ｍ，４ｎ，４ｏ，４ｐ        突起部
５                            カバー
６ａ，６ｂ，６ｃ，６ｄ，      クリックバネ
７                            クリックバネ
【図１】
2005346998.tif 000003
【図２】
2005346998.tif 000004
【図３】
2005346998.tif 000005
【図４】
2005346998.tif 000006
【図５】
2005346998.tif 000007
【図６】
2005346998.tif 000008